(57)【要約】【課題】  電動ロック装置の数を蓋の数に対し大幅に減らすことができ、配線処理も複雑とならない一斉に施解錠が行える天板に備えられた蓋体のロック装置を提供すること。【解決手段】  電動ロック装置は、蓋体の前部に設けた被係止部４ｂと、この被係止部４ｂと係脱可能な天板３側に設けた複数の係止部１８と、複数の係止部１８を作動させる天板３側に設けた一個の電動アクチュエータ２１ｂを備えた施解錠２１と、電動アクチュエータ２１ｂの移動を複数の係止部１８に伝達する連動手段１５とを備え、電動アクチュエータ２１ｂの作動により複数の係止部１８が各被係止部４ｂに係脱する。【選択図】  図４
2006161318.tif 000002
【特許請求の範囲】
【請求項１】
天板と、該天板上に載置された複数の機器を各々覆う閉塞位置と該機器の上方が開放される開放位置との間で移動しうる複数の蓋体と、該各蓋体を、蓋体の閉塞位置において同時に開放不能に保持しうるロック装置とを備える机において、前記ロック装置は、前記蓋体の前部に設けた被係止部と、前記被係止部と係脱可能な天板側に設けた複数の係止部と、該複数の係止部を作動させる天板側に設けた一個の電動アクチュエータと、該電動アクチュエータの移動を前記複数の係止部に伝達する連動手段とを備え、前記電動アクチュエータの作動により複数の係止部が各被係止部に係脱することを特徴とする天板に備えられた蓋体のロック装置。
【請求項２】
前記電動アクチュエータはその施錠及び解錠位置を検知する検知手段を有し、施錠または解錠指令に基づく電動アクチュエータの施錠または解錠位置を検知手段が検知しない場合に、エラー表示手段によりエラー表示させるようにした請求項１に記載の天板に備えられた蓋体のロック装置。
【請求項３】
前記エラー表示手段は蓋体又は天板の背面あるいは前面側に配置したランプである請求項１または２に記載の天板に備えられた蓋体のロック装置。
【請求項４】
前記連動手段が複数の係止部を同時に作動する操作バーで構成されている請求項１乃至３のいずれかに記載の天板に備えられた蓋体のロック装置。
【請求項５】
前記複数の蓋体が載置された机が複数配備されており、すべての蓋体が施錠された場合に、全施錠確認装置により蓋体が全施錠状態であることを表示する請求項１乃至４のいずれかに記載の天板に備えられた蓋体のロック装置。
【発明の詳細な説明】
【技術分野】
【０００１】
天板と、該天板上に載置された複数の機器を各々覆う閉塞位置と該機器の上方が開放される開放位置との間で移動しうる複数の蓋体と、該各蓋体を、蓋体の閉塞位置において同時に開放不能に保持しうるロック装置とを備えた蓋体のロック装置に関する。
【背景技術】
【０００２】
従来の机やテーブル等には、天板に載置された複数の機器を覆うようにして、天板上部を閉蓋可能な複数の蓋が上方に向けて開放可能に設けられており、不使用時には蓋を開放不能に保持できるロック装置が設けられている。このロック装置として、例えば、マニアルキーの作動で天板側に設けたスライド体で各蓋側に設けた爪体を同時に係止するものが知られている。（例えば、特許文献１参照）。
【０００３】
また、他の従来のこの種のロック装置として、常時ばねでロック方向に付勢し、ロック解除の時に制御部からの指令により通電してソレノイドを励磁し、蓋毎に配備された電動ロック装置を作動して、蓋が上方に開放できるようになっている。（例えば、特許文献２参照）。
【０００４】
【特許文献１】実開平８−２５２１１７号公報（段落００１２〜段落００１７、特に図２、図３）
【特許文献２】実開平５−８７１７６号公報（段落００１５〜段落００１８、特に図２、図３）
【発明の開示】
【発明が解決しようとする課題】
【０００５】
しかしながら、特許文献１にあっては、机の上の蓋体をマニュアルキーにて錠操作するので、教室等で多数の机が並んだ状態ですべての机上の蓋体に施解錠を行うには手間が掛かる問題があった。そこで、特許文献２に記載のように、制御部からの指令ですべての蓋に一斉に施解錠が行える電動ロック装置が便利であるが、電動ロック装置の数が蓋の数だけ必要となり、コスト高になるばかりでなく配線処理も複雑となる問題点が残されていた。
【０００６】
本発明は、このような問題点に着目してなされたもので、電動ロック装置の数を蓋の数に対し大幅に減らすことができ、配線処理も複雑とならない一斉に施解錠が行える天板に備えられた蓋体のロック装置を提供することを目的とする。
【課題を解決するための手段】
【０００７】
上記課題を解決するために、本発明の請求項１に記載の天板に備えられた蓋体のロック装置は、天板と、該天板上に載置された複数の機器を各々覆う閉塞位置と該機器の上方が開放される開放位置との間で移動しうる複数の蓋体と、該各蓋体を、蓋体の閉塞位置において同時に開放不能に保持しうるロック装置とを備える机において、前記ロック装置は、前記蓋体の前部に設けた被係止部と、前記被係止部と係脱可能な天板側に設けた複数の係止部と、該複数の係止部を作動させる天板側に設けた一個の電動アクチュエータと、該電動アクチュエータの移動を前記複数の係止部に伝達する連動手段とを備え、前記電動アクチュエータの作動により複数の係止部が各被係止部に係脱することを特徴としている。
この特徴によれば、一個の電動アクチュエータを作動させるだけで、天板上に載置された複数の機器を各々覆う複数の蓋体を同時に施錠あるいは解錠できるので、複数の蓋体を短時間で施解錠することが可能であり、電動アクチュエータを制御するための配線も複雑にならない。
【０００８】
本発明の請求項２に記載の天板に備えられた蓋体のロック装置は、請求項１に記載の天板に備えられた蓋体のロック装置であって、前記電動アクチュエータはその施錠及び解錠位置を検知する検知手段を有し、施錠または解錠指令に基づく電動アクチュエータの施錠または解錠位置を検知手段が検知しない場合に、エラー表示手段によりエラー表示させるようにしたことを特徴としている。
この特徴によれば、施解錠指令に基づく電動アクチュエータの移動に異常があった場合に、エラー表示により異常を認知することができる。
【０００９】
本発明の請求項３に記載の天板に備えられた蓋体のロック装置は、請求項１または２に記載の天板に備えられた蓋体のロック装置であって、前記エラー表示手段は蓋体又は天板の背面あるいは前面側に配置したランプであることを特徴としている。
この特徴によれば、複数の机を前後方向に整列配備した場合に、施解錠の作動に異常のある蓋体を前方あるいは後方から容易に見いだすことができる。
【００１０】
本発明の請求項４に記載の天板に備えられた蓋体のロック装置は、請求項１乃至３のいずれかに記載の天板に備えられた蓋体のロック装置であって、前記連動手段が複数の係止部を同時に作動する操作バーで構成されていることを特徴としている。
この特徴によれば、操作バーに複数の係止部を連係させることで、複数の係止部を容易に同時作動させることができる。
【００１１】
本発明の請求項５に記載の天板に備えられた蓋体のロック装置は、請求項１乃至４のいずれかに記載の天板に備えられた蓋体のロック装置であって、前記複数の蓋体が載置された机が複数配備されており、すべての蓋体が施錠された場合に、全施錠確認装置により蓋体が全施錠状態であることを表示することを特徴としている。
この特徴によれば、機器の使用終了後に蓋体がすべて施錠されたかどうかを確認することができ、請求項２及び請求項３に記載の構成を付加した発明においては、施錠されない蓋体があればエラー表示により短時間でその蓋体の係脱状態を制御する電動アクチュエータを見いだすことができる。
【発明を実施するための最良の形態】
【００１２】
本発明の実施例を以下に説明する。
【実施例】
【００１３】
図１は、本発明の実施例における天板にロック装置を備えた机の一部蓋体が開放された正面全体像を示す斜視図であり、図２は、机の全ての蓋体が閉じられた背面全体像を示す斜視図であり、図３は、図２のＢ−Ｂ線を示す側断面図であり、図４は、ロック装置の構造を示す分解組立斜視図であり、図５（ａ）は、図１のＡ−Ａ線を示す要部拡大断面図でありロック装置の係合解除位置が示され、図５（ｂ）は、図５（ａ）のＣ−Ｃ線を示す要部拡大平面図である。
【００１４】
図６（ａ）は、ロック装置の係合解除位置から係合位置までの移動の中途過程を示す要部拡大断面図であり、図６（ｂ）は、ロック装置の係合位置を示す要部拡大断面図であり、図７は、施解錠の旋錠または解錠を検知する検知手段示す要部拡大斜視図であり、図８は、旋錠指示に基づく各ランプ表示の制御処理を示すフロー図であり、図９は、解錠指示に基づく各ランプ表示の制御処理を示すフロー図である。
【００１５】
本発明における机は、主としてノート型パソコン等の機器を常設させる学校内の専門教室に設置されるもので、教室の不使用時に机の天板上に設置される機器に蓋体を閉蓋させ、この蓋体を天板にロックさせることで、機器の盗難防止および外部からの破損防止を目的として利用されている。
【００１６】
そこで、本発明の実施例を図面に基づいて説明すると、図１に示されるように机１は、主に一対の脚柱２，２’と、脚柱２，２’の上端に支持固定された天板３と、一対の脚柱２，２’間に設けられた幕板２ａと、天板３上面の長さ方向に沿って並列された３つの蓋体４と、から構成されている。これら３つの蓋体４により天板３が３つに区画されており、各区画毎に機器３０を載置可能になっている。
【００１７】
以下、本実施例の説明において、机１の正面側を前方をとし、机１の背面側を後方とし、一方の脚柱２側を左方とし、他方の脚柱２’側を右方として説明する。なお、３つの蓋体４の構造は同一構造であるので、本実施例では、一つの蓋体４の構造について以下に説明し、他の蓋体４，４の説明は割愛する。
【００１８】
そこで蓋体４について説明すると、蓋体４は上面を構成する蓋材４ｅと、蓋材４ｅの下面前端を支持する前面板４ａと、蓋材４ｅの下面の左右に設けられた側面フレーム４ｄ，４ｄと、前面板４ａの背面側に設けられた後述する断面略逆Ｌ字型の被係止部としての係合片４ｂと、から構成されている。この蓋体４の側面フレーム４ｄ，４ｄの後端部は、天板３上部後方に一対で立設された支持フレーム３ｂ，３ｂにそれぞれ回転軸５で軸支されており、蓋体４はこの回転軸５を中心に旋回可能な構成となっている。
【００１９】
天板３の前端部には後で詳述する閉塞板６が各区画毎に設けられており、この閉塞板６の略中央位置に挿通孔６ａが穿設され、蓋板４の係合片４ｂの下端面の中央位置には挿通孔６ａより若干大きい係合孔４ｃが形成されており、蓋体４の閉塞時に挿通孔６ａと係合孔４ｃとの位置が略同位置で重なるようになっている。
【００２０】
天板３の前端部の下面には鍵ユニット２２が設けられており、右側正面から施解錠ランプ２２ｂ、全旋錠ランプ（全旋錠確認装置）２２ａ、および蓋体４を開放不能にロックする電動アクチュエータを備えた施解錠（以下「施解錠」という）２１が設けられている。天板３上面の後方位置からは、背面フレーム３ｃがやや斜め前方に向けて立設されており、背面フレーム３ｃによって蓋体４の閉塞時であっても、蓋体４の後方側が外部に開放されないようになっている。
【００２１】
図２に示されるように、蓋体４を閉塞させた状態では、機器３０の外周が天板３，蓋材４ｅ，前面板４ａ，背面フレーム３ｃ，側面フレーム４ｄ，４ｄに囲繞されることで機器３０が外部から遮蔽され、蓋体４を上方に開放しない限り、機器３０を取り出せないようになっている。さらに、蓋材４ｅの上面が天板３の上面に対して略水平になるように、前面板４ａの背面に設けられた係合片４ｂで支持されることで、各蓋体４の蓋材４ｅを天板３の代用として使用することが可能になっている。また、左方位置の蓋体４に対応する背面フレーム３ｃの左側端部には、施解錠ランプ３ｅおよび全施錠ランプ３ｄが設けられている。
【００２２】
次いで、図３に示されるように、蓋体４は回転軸５を中心に開放位置または閉塞位置に旋回移動可能になっている。この蓋体４の閉塞位置において、前面板４ａ背面にネジ等で固定された係合片４ｂが鍵ユニット２２により開放不能に保持されている。
【００２３】
施解錠２１には、旋錠信号および解錠信号等の各種信号の送受信を行う信号ケーブルと、電力を供給する給電ケーブルと、を含む通信ケーブル２６が、脚柱２’内部に設けられた中継装置２５に各々接続され、施解錠２１に隣接して設けられた全旋錠ランプ２２ａおよび施解錠ランプ２２ｂにも、通信ケーブル２６を介して中継装置２５に各々接続されている（図１参照）。
【００２４】
背面フレーム３ｃに設けられた全旋錠ランプ（全旋錠確認装置）３ｄおよび施解錠ランプ３ｅにおいても、通信ケーブル２６を介して中継装置２５に各々接続されている（図２参照）。この中継装置２５は、本実施例においては特に図示しないが、教室内に設けられた中央制御装置に通信ケーブル２６を介して接続され、中継装置２５と旋錠信号および解錠信号等の各種信号の送受信を相互に行えるようになっている。なお、ここでいう全旋錠ランプ３ｄ，２２ａとは、図１に示した３つの蓋体４を連ねて配置された机１が複数配備されている場合に、各蓋体４の全てが施錠された場合に、点灯により施錠状態を報知するランプであるが、本実施例においては、一つの机に３つの蓋体４が配置された例で説明するので、その３つの蓋体４の全てが旋錠された場合に、点灯により施錠状態を報知するランプとして取り扱う。
【００２５】
机１の正面側に設けられた全旋錠ランプ２２ａと施解錠ランプ２２ｂと（図１参照）、机１の背面側に設けられた全旋錠ランプ３ｄと施解錠ランプ３ｅと（図２参照）、の点灯および消灯の制御について簡単に説明すると、全旋錠ランプ２２ａ，３ｄは緑ＬＥＤ、施解錠ランプ２２ｂ，３ｅは赤ＬＥＤが用いられており、全ての蓋体４の開放時には、机の上の複数の蓋体４の施解錠状態を報知する施解錠ランプ２２ｂ，３ｅは点灯状態（３つの蓋体はすべて開錠状態にある。）で、全旋錠ランプ２２ａ，３ｄは、本実施例では一個の机だけで説明してあるので消灯状態（３つの蓋体はすべて開錠状態にある。）となる。
【００２６】
また、全ての蓋体４の閉塞状態時にロック装置１４で、全ての蓋体４を開放不能にロックさせた場合には、全旋錠ランプ２２ａ，３ｄが点灯状態で、施解錠ランプ２２ｂ，３ｅが消灯状態となる。また、一部または全ての蓋体４がロックされない場合は、全旋錠ランプ２２ａ，３ｄが消灯状態で、施解錠ランプ２２ｂ，３ｅが点滅状態となる。つまり、ロック装置１４の制御に何らかの不具合が発生した場合には、施解錠ランプ２２ｂ，３ｅが点滅されエラー報知される構成になっている。
【００２７】
このように机１の正面側からは全旋錠ランプ２２ａの点灯・消灯、施解錠ランプ２２ｂの点灯・消灯・点滅によって各蓋体４の状態を一目で簡便に視認させることができ、背面側からも全旋錠ランプ３ｄの点灯・消灯、施解錠ランプ３ｅの点灯・消灯・点滅によって各蓋体４の施解錠状態を外部から一目で簡便に視認することができる。
【００２８】
次に、ロック装置１４について詳細に説明すると、図４に示されるようにロック装置１４は、主に蓋体４の前部に設けられた係合片４ｂ（本実施例では３つ）と、薄板状の閉塞板６（本実施例では３枚）と、係止部に相当するカマ錠１８（本実施例では３つ）と、カマ錠１８を移動制御する作動バー１６（本実施例では３枚）と、隣り合う作動バー１６，１６同士を連結する連動バー１７（本実施例では２枚）と、作動バー１６を操作する電動アクチュエータを備えた施解錠２１で構成されている。
【００２９】
天板３の前端部の左右方向には、上下に貫通する開口３ａが所定間隔で３箇所形成されており、これら開口３ａを閉蓋するように各閉塞板６がネジ２９で天板３に取り付けられている。各閉塞板６には左右方向に矩形の挿通孔６ａがそれぞれ形成され、各係合片４ｂには挿通孔６ａに対応する位置にそれぞれ係合孔４ｃが形成されている。
【００３０】
各連動バー１７の両端部には、各作動バー１６の端部に形成されたネジ孔１６ｃを介してビス２８で連結固定させて一本の連動手段としての操作バー１５が構成されている。連動バー１７を増やして作動バー１６を連結させれば、天板３上の蓋体４の数に合わせて適宜カマ錠１８を容易に増設させることが可能である。
【００３１】
各作動バー１６の中央位置には、カマ錠１８が軸ピン１６ｂで回動可能に固定されており、カマ錠１８の上下方向の中間部に略縦方向に長い長孔形の摺動孔１８ｃが形成されている。この摺動孔１８ｃには、開口３ａから前方に突設された固定ピン３ａ’が摺動可能に内挿されている。これにより、作動バー１６の水平方向移動に対して、固定ピン３ａ’を中心とするカマ錠１８の回動が左右方向に少なく上下方向に大きい旋回運動となる。
【００３２】
施解錠２１は、鍵の受け口である鍵口２１ｃと、鍵の手動回転および電気制御回転で回転制御される電動アクチュエータ２１ｂと、この電動アクチュエータ２１ｂの後端に後方向きに延設された偏心ピン２１ａとから構成され、この偏心ピン２１ａの先端部が右側の作動バー１６の右側端部に形成された上下向きの長孔１６ａに内挿されている。
【００３３】
なお、施解錠２１の電動アクチュエータ２１ｂの回動は鍵の手動回転で行うことも可能であるが、前述の図３に示された施解錠２１に接続された通信ケーブル２６および中継装置２５を介して、外部からの施解錠信号および給電により電動アクチュエータ２１ｂを回動制御させて、施解錠２１の作動を遠隔操作で行うものである。
【００３４】
次いで、カマ錠１８と係合片４ｂとの係合および係合解除の関係について、図５および図６を用いて具体的に説明する。まず図５（ａ）に示されるように、カマ錠１８の上部には鈎状の鈎部１８ｂが形成され、中央部に固定ピン３ａ’を内挿した長孔の摺動孔１８ｃが形成され、下部に軸ピン１６ｂが軸着された下端部１８ｅが形成されている。
【００３５】
そして、閉塞板６は天板３の上面と面一になるようにネジ２９で天板３に螺合されて取り付けられ、この閉塞板６の挿通孔６ａ内には鈎部１８ｂの上端部１８ａが天板３および閉塞板６の上面と面一になる位置で、固定ピン３ａ’と下端部１８を軸支する軸ピン１６ｂによって位置固定されている。この閉塞板６と天板３の上面に係合片４ｂを載置させることで前述した蓋体４の閉蓋が行われる。
【００３６】
鍵ユニット２２内に設けられた作動バー１６の長孔１６ａには、摺動可能に内挿された偏心ピン２１ａ（図４参照）が長孔１６ａの中央に位置しており、後述する電動アクチュエータ２１ｂの回動により、この偏心ピン２１ａは右回り（時計回り）に２点鎖線で示した如く回動可能になっている。
【００３７】
次いで、カマ錠１８と係合片４ｂとの係合について説明する。施解錠２１の電動アクチュエータ２１ｂの回動により偏心ピン２１ａ（図５（ａ）参照）が右回りに１／４回転すると、図６（ａ）に示されるように、偏心ピン２１ａが長孔１６ａの下方に向けて摺動し、作動バー１６が通孔２２ｃ内を水平状態で左方に向けて移動され、軸ピン１６ｂで軸支されたカマ錠１８の下端部１８ｅも左方に移動されていく。
【００３８】
これにより、カマ錠１８の摺動孔１８ｃが固定ピン３ａ’に対して上方に摺動しながら、この固定ピン３ａ’を軸としてカマ錠１８が右回り（時計回り）に回動され、鈎部１８ｂが挿通孔６ａから係合孔４ｃを介して徐々に回動しながら上方に移動する。
【００３９】
さらに、電動アクチュエータ２１ｂの回動により偏心ピン２１ａが右回りに１／４回転すると、図６（ｂ）に示されるように、偏心ピン２１ａが長孔１６ａの中央位置に向けて摺動し、作動バー１６も偏心ピン２１ａの回動により、水平状態で更に左方に向けて移動され、軸ピン１６ｂで軸支されたカマ錠１８の下端部１８ｅも左方に移動されていく。
【００４０】
すると、摺動孔１８ｃが固定ピン３ａ’に対して、さらに上方に摺動されながら、カマ錠１８が固定ピン３ａ’を軸として右回りに回動されていき、軸ピン１６ｂの位置が固定ピン３ａ’に対して垂直方向にほぼ重なる位置になると、鈎部１８ｂが係合孔４ｃを介して係合片４ｂに係合されてカマ錠１８と係合片４ｂとが係合状態となり、蓋体４が開放不能にロックされる。
【００４１】
なお、カマ錠１８と係合片４ｂの係合状態から、電動アクチュエータ２１ｂの回動により偏心ピン２１ａが右回りに１／２回転すると、作動バー１６が水平状態で右方に向けて移動し、係合片４ｂからカマ錠１８が解除されて、前述した図５（ａ）に示された偏心ピン２１ａの位置と同位置に戻り、天板３および閉塞板６の上面と、カマ錠１８の上端部１８ａが面一となって、カマ錠１８と係合片４ｂの係合が解除状態となり、蓋体４が開放可能となる。つまり、施解錠２１の電動アクチュエータ２１ｂの回動が右回りに１／２回動される毎に、カマ錠１８と係合片４ｂの係合状態と係合解除状態との切替えが繰り返し行われる構成になっている。
【００４２】
なお、他の２本の作動バー１６にそれぞれ設けられたカマ錠１８と係合片４ｂにおいても特に図示しないが、各作動バー１６が連動バー１７に連結され一本の操作バー１５を構成しているので（図４参照）、施解錠２１の偏心ピン２１ａの回動による施解錠切替によって、他の２本の作動バー１６も同様に連動され、カマ錠１８と係合片４ｂとの係合および係合解除が行われる。
【００４３】
このことから、天板３上に複数の蓋体４が存在していても、施解錠２１の切替制御によって操作手段である操作バー１５が水平状態で左方または右方に移動され、複数のカマ錠１８と係合片４ｂとの係合位置または係合解除位置が同時に切り替えられる。
【００４４】
次いで、前述において説明した施解錠２１の旋錠または解錠状態を検知する検知方法について説明すると、図７に示されるように、施解錠２１の周りには上部が開口するように折曲加工された取付板４３が設けられ、この取付板４３の作動バー１６側に延在して上方に突設した取付片４３ａ，４３ａに、検知手段である解錠検知センサ４２と旋錠検知センサ４１が設けられ、各センサ４２，４１に通信ケーブル２６がそれぞれ接続され、この通信ケーブル２６を介して中継装置２５（図３参照）に接続されている。
【００４５】
この解錠検知センサ４２と旋錠検知センサ４１の間には、電動アクチュエータ２１ｂの先端部に形成されたカムスイッチ機構が配置され、解錠検知センサ４２と旋錠検知センサ４１が交互に検知される構成になっている。電動アクチュエータ２１ｂの回転により偏心ピン２１ａの回動位置が解錠位置に移動されると、カムスイッチ機構が作動して解錠検知センサ４１が解錠位置にあることを検知し、解錠検知信号が通信ケーブル２６を介して中継装置２５に向けて送信され。また、偏心ピン２１ａの回動位置が旋錠位置に移動されると、カムスイッチ機構が作動して旋錠検知センサ４２が施錠位置にあることを検知し、旋錠検知信号が通信ケーブル２６を介して中継装置２５に向けて送信される。なお、この施解錠２１は鍵２７を用いた手動操作により電動アクチュエータ２１ｂを駆動することもできるように構成されている。
【００４６】
次に、図８，９により、施解錠指示に基づく電動アクチュエータ２１ｂ，全旋錠ランプ３ｄ，２２ａ、施解錠ランプ３ｅ，２２ｂ，解錠検知センサ４１，旋錠検知センサ４２の制御処理について具体的に説明する。
【００４７】
まず、蓋体４の旋錠処理については、予め机１の蓋体４の全てが閉蓋した状態にあり、図８に示されるように、旋錠指示が発せされると、ステップＳ１にて旋錠検知センサ４２の検知に基づき、電動アクチュエータ２１ｂの回動状態が旋錠状態か否かが判定され、「Ｙｅｓ」の場合には既に旋錠がされているので処理完了となり、「Ｎｏ」の場合にはステップＳ２に進み、電動アクチュエータ２１ｂの回動を開始させ、ステップＳ３に進む。
【００４８】
ステップＳ３では、旋錠検知センサ４２の検知に基づき、電動アクチュエータ２１ｂの回動状態が旋錠状態か否かが判定され、「Ｎｏ」の場合にはステップＳ４に進み、所定の規定時間で電動アクチュエータ２１ｂの回動を停止させ、ステップＳ５に進み、施解錠ランプ３ｅ，２２ｂを所定時間点滅させエラー報知したのち、点灯させ処理完了となる。
【００４９】
ステップＳ３で「Ｙｅｓ」の場合にはステップＳ６に進み、電動アクチュエータ２１ｂの回動を停止させ、ステップＳ７に進み、施解錠ランプ３ｅ，２２ｂを消灯させ処理完了となるとともに、このとき他の机の蓋体もすべて施錠状態にあれば全旋錠ランプ３ｄ，２２ａが点灯され、外部に全蓋体が旋錠完了状態であることを分かる。
【００５０】
次いで、蓋体４の解錠処理については、図９に示されるように、解錠指示が発せされると、ステップＳ１０では、解錠検知センサ４１の検知に基づき、電動アクチュエータ２１ｂの回動状態が解錠状態か否かが判定され、「Ｙｅｓ」の場合には既に解錠がされているので処理完了となり、「Ｎｏ」の場合にはステップＳ１１に進み、電動アクチュエータ２１ｂの回動を開始させ、ステップＳ１２に進む。
【００５１】
ステップＳ１２では、解錠検知センサ４１の検知に基づき、電動アクチュエータ２１ｂの回動状態が解錠状態か否かが判定され、「Ｎｏ」の場合にはステップＳ１３に進み、所定の規定時間で電動アクチュエータ２１ｂの回動を停止させ、ステップＳ１４に進み、施解錠ランプ３ｅ，２２ｂを所定時間点滅させる。
【００５２】
ステップＳ１２で「Ｙｅｓ」の場合にはステップＳ１５に進み、電動アクチュエータ２１ｂの回動が停止され蓋体４が解錠状態となり、ステップＳ１６に進み、施解錠ランプ３ｅ，２２ｂを点灯させ処理完了となる。このとき全旋錠ランプ３ｄ，２２ａは消灯している。
【００５３】
このように本発明によれば、一個の電動アクチュエータを作動すれば机の上に載置した３つの蓋体の施錠または解錠を同時に操作することができるので、教室の如く多くの机を並べた状況の下で使用する場合に、従来のように、各蓋体に電動アクチュエータを備えたものと比較して、電動アクチュエータの数を大幅に減らすことができる。
【００５４】
また電動アクチュエータに駆動指令を与える場合に、教壇等の場所に制御装置を置いておき、その制御装置から各中継装置に制御指令信号を送信することが可能であり、集中管理ができる。しかも電動アクチュエータに異常があればランプ等を用いてエラ−表示させることができるので、盗難回避のために、異常の回復に努めるかあるいは機器を別の場所に移して保管することができる。
【００５５】
そして、エラ−表示を蓋体の背面および前面側に配置した施解錠ランプで表示させることにより、例えば教室の教壇側あるいは教室の後方から容易に確認できる。更に全旋錠ランプを少なくとも一個だけ机又は蓋体に設けておけば、全旋錠ランプ消灯時にエラー表示装置とあわせて異常の電動アクチュエータを短時間で見いだすことができる。
【００５６】
以上、本発明の実施例を図面により説明してきたが、具体的な構成はこれら実施例に限られるものではなく、本発明の要旨を逸脱しない範囲における変更や追加があっても本発明に含まれ、例えば本実施例では施解錠ランプを蓋体の背面および前面側に配置しているが、蓋体の背面あるいは前面側のどちらか一カ所のみでもよく、配置場所も蓋体に限らず机側でも良い。また、エラー表示装置としてランプを用いたが、ブザーでも良いことはいうまでもない。
【図面の簡単な説明】
【００５７】
【図１】本発明の実施例における天板にロック装置を備えた机の一部蓋体が開放された正面全体像を示す斜視図である。
【図２】机の全ての蓋体が閉じられた背面全体像を示す斜視図である。
【図３】図２のＢ−Ｂ線を示す側断面図である。
【図４】ロック装置の構造を示す分解組立斜視図である。
【図５】（ａ）は、図１のＡ−Ａ線を示す要部拡大断面図でありロック装置の係合解除位置が示され、（ｂ）は、（ａ）のＣ−Ｃ線を示す要部拡大平面図である。
【図６】（ａ）は、ロック装置の係合解除位置から係合位置までの移動の中途過程を示す要部拡大断面図であり、（ｂ）は、ロック装置の係合位置を示す要部拡大断面図である。
【図７】施解錠の旋錠または解錠を検知する検知手段示す要部拡大斜視図である。
【図８】旋錠指示に基づく各ランプ表示の制御処理を示すフロー図である。
【図９】解錠指示に基づく解錠および各ランプ表示の制御処理を示すフロー図である。
【符号の説明】
【００５８】
１                机
２、２’          脚柱
３                天板
３ａ              開口
３ａ’            固定ピン
３ｂ              支持フレーム
３ｃ              背面フレーム
３ｄ              全旋錠ランプ（全施錠確認装置）
３ｅ              施解錠ランプ（エラー表示手段）
４                蓋体
４ａ              前面板
４ｂ              係合片（被係止部）
４ｃ              係合孔
４ｄ              側面フレーム
４ｅ              蓋材
５                回転軸
６                閉塞板
６ａ              挿通孔
６ｂ              ネジ孔
１４              ロック装置
１５              操作バー（連動手段）
１６              作動バー
１６ａ            長孔
１６ｂ            軸ピン
１７              連動バー
１８              カマ錠（係止部）
１８ａ            上端部
１８ｂ            鈎部
１８ｃ            摺動孔
１８ｄ            軸孔
１８ｅ            下端部
２１              電動アクチュエータを備えた施解錠
２１ａ            偏心ピン
２１ｂ            電動アクチュエータ
２２              鍵ユニット
２２ａ            全旋錠ランプ（全施錠確認装置）
２２ｂ            施解錠ランプ（エラー表示手段）
２２ｃ            通孔
２５              中継装置
２６              通信ケーブル（信号ケーブルと給電ケーブルを含む）
３０              機器
４１              解錠検知センサ（検知手段）
４２              旋錠検知センサ（検知手段）
【図１】
2006161318.tif 000003
【図２】
2006161318.tif 000004
【図３】
2006161318.tif 000005
【図４】
2006161318.tif 000006
【図５】
2006161318.tif 000007
【図６】
2006161318.tif 000008
【図７】
2006161318.tif 000009
【図８】
2006161318.tif 000010
【図９】
2006161318.tif 000011